(57)【特許請求の範囲】
【請求項１】
ロックセットであって、
伸長位置と引っ込み位置との間で動くことができるボルトを含むラッチ組立体を有し、  前記伸長位置と前記引っ込み位置との間における前記ボルトの運動を電子的に制御するよう構成された制御器を有し、
前記ボルトを前記伸長位置と前記引っ込み位置との間で手動で作動させる回し部品を含む内部組立体を有し、
前記ボルトを前記伸長位置と前記引っ込み位置との間で手動で移動させるよう構成された機械式ロック組立体を含む外部組立体を有し、前記外部組立体は、前記制御器と電気的連絡状態にある複数個の別個独立に制御可能な領域を備えた光コミュニケーション装置を含み、
前記制御器は、前記ロックセットの状態を表示するよう前記領域のうちの多数を既定の形態で作動させるよう構成され、
前記光コミュニケーション装置の前記領域の少なくとも一部分は、リング状の形に配置されている、ロックセット。
【請求項２】
前記制御器は、（ａ）前記光コミュニケーション装置の多数の領域の照明、（ｂ）前記光コミュニケーション装置の多数の領域の光強度、又は（ｃ）前記光コミュニケーション装置の多数の領域の色のうちの１つ又は２つ以上を調節することによって前記既定の形態を作動させるよう構成されている、請求項１記載のロックセット。
【請求項３】
前記制御器は、前記光コミュニケーション装置の隣り合う領域を（ａ）照明、（ｂ）光強度、又は（ｃ）色のうちの１つ又は２つ以上で順次調節することによって前記既定の形態を作動させるよう構成されている、請求項１記載のロックセット。
【請求項４】
前記光コミュニケーション装置は、少なくとも３つの領域を有し、前記制御器は、前記少なくとも３つの領域を（ａ）照明、（ｂ）光強度、又は（ｃ）色のうちの１つ又は２つ以上で順次調節するよう構成されている、請求項１記載のロックセット。
【請求項５】
前記制御器は、前記ロックセットの第１の状態を表示するよう隣り合う領域を第１の順序で順次調節するよう構成されている、請求項４記載のロックセット。
【請求項６】
前記制御器は、前記ロックセットの第２の状態を表示するよう隣り合う領域を第２の順序で順次調節するよう構成され、前記第２の順序は、前記第１の順序とは逆である、請求項５記載のロックセット。
【請求項７】
前記第１の順序は、前記ボルトの第１の運動方向を表している、請求項６記載のロックセット。
【請求項８】
前記第２の順序は、前記ボルトの第２の運動方向を表している、請求項７記載のロックセット。
【請求項９】
前記第１の方向は、前記伸長位置から前記引っ込み位置へのボルト運動方向を表している、請求項８記載のロックセット。
【請求項１０】
前記第２の方向は、前記引っ込み位置から前記伸長位置へのボルト運動方向を表している、請求項９記載のロックセット。
【請求項１１】
前記制御器は、（ａ）前記光コミュニケーション装置の多数の領域の照明、（ｂ）前記光コミュニケーション装置の多数の領域の光強度、又は（ｃ）前記光コミュニケーション装置の多数の領域の色のうちの１つ又は２つ以上を調節することによって前記既定の形態を作動させるよう構成されている、請求項１記載のロックセット。
【請求項１２】
前記制御器は、第１の方向における前記ボルトの運動を指示するよう隣り合う領域を全体として時計回りのやり方で順次調節するよう構成されている、請求項１１記載のロックセット。
【請求項１３】
前記制御器は、前記第１の方向とは逆の第２の方向における前記ボルトの運動を指示するよう隣り合う領域を全体として反時計回りのやり方で順次調節するよう構成されている、請求項１２記載のロックセット。
【請求項１４】
前記外部組立体は、全体として切頭円錐形のシリンダ保護カバーを含み、前記光コミュニケーション装置は、前記シリンダ保護カバーの切頭体と全体として同心である、請求項１１記載のロックセット。
【請求項１５】
前記既定の形態は、前記制御器により現時点において処理されている行為を表している、請求項１記載のロックセット。
【請求項１６】
前記既定の形態は、前記制御器によって入力されるユーザの要求を表している、請求項１記載のロックセット。
【請求項１７】
前記既定の形態は、前記ロックセットの状態を表している、請求項１記載のロックセット。
【請求項１８】
前記外部組立体は、前記制御器に電気的に結合されたシリンダ保護カバーを含み、前記シリンダ保護カバーは、前記制御器への容量性タッチ面入力として働くようになっている、請求項１記載のロックセット。
【請求項１９】
前記外部組立体の内部キャビティ内に設けられていて、前記制御器に電気的に結合されたアンテナを更に有する、請求項１記載のロックセット。
【発明の詳細な説明】
【技術分野】
【０００１】
〔関連出願の説明〕
本願は、２０１３年３月１５日に出願された米国特許仮出願第６１／７９２，８９６号（発明の名称：Wireless Lockset with Integrated Antenna Touch Activation, and Light Communication Method）の権益主張出願であり、この米国特許仮出願を参照により引用し、その記載内容全体を本明細書の一部とする。
【０００２】
本開示内容、即ち本発明は、一般に、電気機械式ロック（錠）に関する。
【背景技術】
【０００３】
電子ロックは、住宅市場及び商業市場においてますます受け入れられると共にますます普及している。これらロックセットは、或る特定の電子クレデンシャル（資格証明情報）を必要とすることによってドア（扉、戸、門戸）からの建物内への侵入を制御する。例えば、これらロックセットは、典型的には、ユーザにより提供されるクレデンシャルに基づいてロックセットを解錠するかどうかを決定する制御回路を有する。幾つかの場合、例えば、クレデンシャル及び／又は指令は、例えば２０１２年３月８日に出願された米国特許出願公開第２０１２／０２３４０５８号明細書（発明の名称：Wireless Access Control System and Related Methods）に開示されたロックセットにワイヤレスで提供されるのが良く、この米国特許出願公開を参照により引用し、その記載内容全体を本明細書の一部とする。
【発明の概要】
【発明が解決しようとする課題】
【０００４】
接近制御及びセキュリティ業界では、ワイヤレスロックセットは、典型的には、ＲＦ伝搬を邪魔しないよう通常プラスチック「ＲＦ窓」の後ろでドアの内側に設けられたアンテナを有する。ロックセットの中には、アンテナをドアの外側に配置しようとするものがあるが、このようなロックセットは、アンテナを見栄えが良く、ＲＦ通信効率が良く、いたずら防止であり、しかも製造が容易であるように製作するという課題に取り組まなければならない。
【課題を解決するための手段】
【０００５】
一観点によれば、本発明は、ユーザインターフェースとして働く内部アンテナ、タッチ起動機能、及び／又は光通信装置のうちの１つ又は２つ以上を備えたワイヤレス電気機械式ロックを提供する。本発明は、これらの特徴を例示目的でデッドボルトに具体化さされるものとして説明するが、これら特徴は、任意形式のロックセットに利用でき、かかるロックセットとしては、デッドボルト、ノブセットロック、ハンドルセットロック等が挙げられるが、これらには限定されない。
【０００６】
一実施形態では、ロックは、金属とプラスチックを混在させたもので作られ、エレクトロニクス及びＲＦアンテナを収容する特別設計のキャビティを備えている。例えば、幾つかの実施形態では、ロックは、ロックセットの外面の近くに位置した状態でロックセットそれ自体の金属本体の内部に設計されたアンテナを利用する。これは、金属本体が厳密な物理的セキュリティ要件を満たし、更に埋め込まれた前側に向いているアンテナがＲＦエネルギーを効率的に伝搬させることができるようにするよう特別設計されているという点でユニークである。これは、コンパクトなサイズ、明確な見栄え、単純な製造、及びいたずら防止を含む他のアンテナ配置手段と比較して多くの利点をもたらす。
【０００７】
幾つかの実施形態では、光通信装置（光コミュニケーション装置）が光のアニメーション及び動的ディスプレイを介して情報を視覚的にユーザに伝達するよう設けられる。例えば、光通信装置は、幾つかの実施形態では、ロックの外部に組み込まれたリングの形に形成されるのが良い。幾つかの場合、光通信装置は、多数のユーザメッセージを伝えるよう外部光リングの周囲に沿って動的多色光のアニメーション及び静止光のコンフィグレーションを作るよう領域を選択的に照明するために使用できる。これらアニメーションにより、ロック操作の模倣が可能である。例えば、アニメーションは、ロックセットがビジー状態であること等を指示するためにボルトの運動方向又は遅い光のアニメーションを示すよう光セグメントを順次照明することを含むが、これには限定されない。光通信装置がリングについて円形以外の形状、例えば長方形、正方形、三角形等の形状に形成されても良い実施形態が想定されている。
【０００８】
幾つかの場合、ロックセットは、ロックを施錠／解錠すると共に／或いは別のやり方で入力を提供するために用いることができるタッチ起動化機能を有する。幾つかの実施形態では、例えば、ロックの外側カバー全体は、接触式（タッチに敏感）であり、それにより、ユーザは、ロックセットの種々の機能を起動するようロックに触れることができる。この機能は、これが専用のキーパッド領域、ボタンプレス、又はガラス容量性タッチセンサ領域を必要とせず、これとは異なり、ロックセットカバーの直径方向全体が起動のための容量性タッチセンサとして働くことができるので、ユニークである。
【０００９】
別の観点によれば、本発明は、伸長位置と引っ込み位置との間で動くことができるボルトを含むラッチ組立体を備えたロックセットを提供する。ロックセットは、伸長位置と引っ込み位置との間におけるボルトの運動を電子的に制御するよう構成された制御器を有する。ボルトを伸長位置と引っ込み位置との間で手動で作動させる回し部品を含む内部組立体が設けられる。ロックセットは、ボルトを伸長位置と引っ込み位置との間で手動で作動させるよう構成された機械式ロック組立体を含む外部組立体を有する。外部組立体は、制御器と電気的連絡状態にある複数個の別個独立に制御可能な領域を備えた光通信装置を含む。幾つかの実施形態では、制御器は、ロックセットの状態を識別するよう領域のうちの多数を既定の形態で作動させるよう構成されている。
【００１０】
状況に応じて、制御器は、（ａ）光通信装置の多数の領域の照明、（ｂ）光通信装置の多数の領域の強度、及び／又は（ｃ）光通信装置の多数の領域の色を調節することによって既定の形態を作動させるよう構成されている。幾つかの実施形態では、制御器は、光通信装置の隣り合う領域を照明、強度、及び／又は色に関して順次調節することによって既定の形態を作動させるよう構成されている。
【００１１】
幾つかの実施形態では、光通信装置は、照明、強度、及び／又は色に関して順次調節可能であるよう構成された少なくとも３つの領域を有する。例えば、制御器は、ロックセットの第１の状態を識別するよう隣り合う領域を第１の順序で順次調節するよう構成されるのが良い。同様に、制御器は、ロックセットの第２の状態を識別するために隣り合う領域を第１の順序とは逆の第２の順序で順次調節するよう構成されているのが良い。例えば、調節を行う順序は、ボルトの方向を指示することができる。
【００１２】
光通信装置の領域のうちの少なくとも一部分がリング状の形に配置される実施形態が想定される。幾つかの場合、例えば、制御器は、第１の方向におけるボルトの運動を指示するよう隣り合う領域を全体として時計回りのやり方で順次調節するよう構成されるのが良い。逆方向におけるボルトの運動は、これら領域の反時計回りの作動で指示できる。幾つかの実施形態では、外部組立体は、全体として切頭円錐形のシリンダ保護カバーを含む。幾つかの場合、光通信装置は、シリンダ保護カバーの切頭体と全体として同心である。
【００１３】
さらに別の実施形態によれば、本発明は、伸長位置と引っ込み位置との間で動くことができるボルトを含むラッチ組立体を備えたロックセットを提供する。制御器が伸長位置と引っ込み位置との間におけるボルトの運動を電子的に制御するために設けられている。ロックセットは、ボルトを伸長位置と引っ込み位置との間で手動で作動させるための回し部品を含む内部組立体を有する。外部組立体がボルトを伸長位置と引っ込み位置との間で手動で作動させるよう構成された機械式ロック組立体を備えている。外部組立体は、タッチ面を含む。制御器は、タッチ面の容量性タッチ検出に応答して伸長位置と引っ込み位置との間におけるボルトの運動を作動させるよう構成されている。
【００１４】
幾つかの実施形態では、外部組立体は、機械式ロック組立体から延びるシリンダ保護カバーを含み、タッチ面は、シリンダ保護カバーの外面を含む。例えば、幾つかの場合、タッチ面は、シリンダ保護カバーの実質的に外面全体を含む。保護カバーが全体として切頭円錐形の形をしている実施形態が想定される。例えば、タッチ面は、シリンダ保護カバーの実質的に側壁全体を含むのが良い。
【００１５】
別の観点によれば、本発明は、施錠位置と解錠位置との間で動くことができる施錠装置を備えたロックセットを提供する。施錠装置は、シリンダ保護カバー、ハンドル、及び／又はローズを有する。タッチ面は、ロックセットの一部として形成されている。タッチ面のタッチングを識別するよう構成された電気回路が設けられている。幾つかの実施形態では、絶縁体がタッチ面と電気回路を分離する。タッチ面と電気回路を電気的に接続する導電性媒体が設けられるのが良い。
【００１６】
さらに別の観点によれば、本発明は、伸長位置と引っ込み位置との間で動くことができるボルトを含むラッチ組立体を備えたロックセットを提供する。ロックセットは、伸長位置と引っ込み位置との間におけるボルトの運動を電子的に制御するよう構成された制御器を有する。アンテナが制御器と電気的連絡状態にある。ボルトを伸長位置と引っ込み位置との間で手動で作動させる回し部品を含む内部組立体が設けられる。また、外部組立体は、ボルトを伸長位置と引っ込み位置との間で手動で作動させるよう構成されたシリンダを含む機械式ロック組立体を備えている。外部組立体は、シリンダを包囲していて、シリンダを構造的に保護するよう構成されたシリンダ保護材を含む。シリンダ保護材は、アンテナを少なくとも部分的に収納する内部キャビティを備える。幾つかの場合、アンテナは、全体が内部キャビティ内に設けられる。
【００１７】
幾つかの実施形態では、シリンダ保護材は、前側の側部及び後側の側部を有する。キャビティは、シリンダ保護材の前側側部上に位置する開口端を有する。前側カバーがキャビティの開口端から延びており、この前側カバーは、シリンダの前側フェースと全体として同一平面内に位置する。代表的には、前側カバーは、全体としてＲＦ透明材料で作られる。幾つかの場合、光通信装置がキャビティの開口端と前側カバーとの間で延びている。幾つかのかかる状況では、光通信装置は、全体としてＲＦ透明材料で作られる。
【００１８】
本発明の追加の特徴及び追加の利点は、現時点において考えられる本発明を実施する最適実施態様を例示する図示の実施形態の以下の詳細な説明を考慮すると当業者には明らかになろう。かかる追加の特徴及び利点は、本発明に含まれると共に本発明の範囲に含まれる。
【００１９】
以下、非限定的な実施例として与えられているに過ぎない添付の図面を参照して本発明について説明する。
【図面の簡単な説明】
【００２０】
【図１】本発明の一実施形態としての例示のロック組立体の分解組立て図である。
【図２】組立て状態にある図１に示された例示のロック組立体の側面断面図である。
【図３】図１及び図２に示された例示の外部組立体の分解組立て図である。
【図４】図１及び図２に示された例示の外部組立体の前から見た斜視図であり、一部が内部コンポーネントを示すために取り外された状態を示す図である。
【図５】図１及び図２に示された例示の外部組立体の部分側面断面図である。
【図６】図１及び図２に示された例示の外部組立体の後ろから見た斜視図である。
【図７】本発明の一実施形態としての外部組立体に用いることができる例示の絶縁体頂部の後ろから見た斜視図である。
【図８】図７に示された例示の絶縁体の前から見た斜視図である。
【図９】図７及び図８に示された例示の絶縁体の背面図である。
【図１０】図９の１０‐１０線に沿って見た例示の絶縁体の断面図である。
【図１１】図９の１１‐１１線に沿って見た例示の絶縁体の断面図である。
【図１２】本発明の一実施形態にしたがって外部組立体に用いることができる例示のロックセット本体の後ろから見た斜視図である。
【図１３】図１２に示された例示のロックセット本体の前から見た斜視図である。
【図１４】図１２に示された例示のロックセット本体の背面図である。
【図１５】図１４の１５‐１５線に沿って見た例示のロックセット本体の断面図である。
【図１６】図１３に示された例示のロックセット本体の正面図である。
【図１７】図１６の１７‐１７線に沿って見た例示のロックセット本体の断面図である。
【図１８】図１６の１８‐１８線に沿って見た例示のロックセット本体の断面図である。
【図１９】本発明の一実施形態としての例示の組立体に用いることができる例示の光パイプの後ろから見た斜視図である。
【図２０】図１９に示された例示の光パイプの後ろから見た斜視図である。
【図２１】図２０に示された例示の光パイプの背面図である。
【図２２】図２１の２２‐２２線に沿って見た例示の光パイプの断面図である。
【図２３】図２１の２３‐２３線に沿って見た例示の光パイプの断面図である。
【図２４】図２１の２４‐２４線に沿って見た例示の光パイプの断面図である。
【図２５】図２１の２５‐２５線に沿って見た例示の光パイプの断面図である。
【図２６】図２１の２６‐２６線に沿って見た例示の光パイプの断面図である。
【図２７】容量性検出を介するロックセットからＰＣＢへの電気的接続の仕方を示す略図である。
【図２８】本発明の一実施形態としての光パイプによる例示の通信の仕方を示す略図である。
【図２９】本発明の一実施形態としての光パイプによる例示の通信の仕方を示す略図である。
【図３０】本発明の一実施形態としての光パイプによる例示の通信の仕方を示す略図である。
【図３１】本発明の一実施形態としての光パイプによる例示の通信の仕方を示す略図である。
【図３２】本発明の一実施形態に従ってセキュリティクレデンシャルをロックにワイヤレスで提供するために使用できるキーフォブと併用できる例示の電池接触組立体の分解組立て図である。
【図３３】ＰＣＢ組立体に取り付けられた図３２に示されている例示の電池接点組立体の斜視図である。
【図３４】図３３に示された例示の電池接点組立体の斜視図であり、電池が接点相互間に挿入された状態を示す図である。
【図３５】ＰＣＢの反対側に取り付けられた図３３に示されている例示の電池接点組立体の斜視図である。
【図３６】図３２に示された例示の電池接点組立体の接点の下から見た斜視図である。
【図３７】図３６に示された例示の接点の横から見た斜視図である。
【図３８】図３６に示された例示の接点の側面図である。
【図３９】図３６に示された例示の接点の平面図である。
【発明を実施するための形態】
【００２１】
対応関係にある参照符号は、幾つかの図全体を通じて、対応の部分を示している。図に示されているコンポーネントは、必ずしも縮尺通りにはなっておらず、これとは異なり、本発明の原理を説明する際に強調が施されている。本明細書に記載された例示は、本発明の実施形態を示しており、かかる例示は、本発明の範囲をなんら限定するものと解されてはならない。
【００２２】
本発明の技術的思想は、種々の改造例及び変形形態で具体化できるが、その特定の例示の実施形態が図面に例示として示されており、本明細書において、かかる実施形態について詳細に説明する。しかしながら、理解されるべきこととして、本発明の技術的思想は、開示した特定の形態には限定されず、これとは異なり、本発明は、本発明の精神及び範囲に含まれる全ての改造例、均等例、及び変形例を含むものである。
【００２３】
本発明は、一般に、遠方からアクセス可能な一体形カメラ付きの電子ロックに関する。「電子ロック」という用語は、広義には、電力を何らかの仕方で用いる任意形式のロックセットを含むものであり、かかるロックセットとしては、電子デッドボルトや、電子レバーセットが挙げられるが、これらには限定されない。本発明は、任意形式の電子ロック中へのディジタルカメラの一体化を想定しており、本発明は、任意特定形式の電子ロックには限定されない。
【００２４】
図１は、本発明の一実施形態としての例示のロック組立体１００を示している。図示の実施例では、ロック組立体１００は、外部組立体１０２、ラッチ組立体１０４、及び内部組立体１０６を含む。代表的には、外部組立体１０２は、ドアの外側に取り付けられ、内部組立体１０６は、ドアの内側に取り付けられている。ラッチ組立体１０４は、代表的には、ドアに形成されたボア内に設けられている。「外側」という用語は、ドアの外側の領域を意味するよう広義に用いられ、「内側」という用語も又、ドアの内側の領域を意味するよう広義に用いられている。例えば外部出入口（入口ドア）では、例えば、外部組立体１０２は、建物の外側に取り付けられるのが良く、内部組立体１０６は、建物の内側に取り付けられるのが良い。内部ドアでは、外部組立体は、建物の内側に取り付けられるのが良いが、ロック組立体１００によってセキュリティ確保された部屋の外側に取り付けられるのが良く、内部組立体１０６は、セキュリティ確保された部屋内に取り付けられるのが良い。ロック組立体１００は、内部ドアと外部ドアの両方に利用できる。
【００２５】
図示の実施例では、外部組立体１０２は、デッドボルトの形態をしている。しかしながら、上述したように、本発明は、電子デッドボルトだけに限定されるわけではなく、任意種類の電子ロックを含む。図示のように、外部組立体１０２は、外部組立体１０２の内部コンポーネントを収容したシリンダ保護カバー１０８を含む。図示の実施例では、シリンダ保護カバー１０８は、ドア（図示せず）に隣接して位置する場合のある後側部分１１０及びドアから延びる前側部分１１２を備えた装飾が施された形状を有する。この実施例では、シリンダ保護カバー１０８は、後側部分１１０から前側部分１１２までテーパした形状を有するが、外部組立体１０２及びシリンダ保護材１０８は、特定の状況に応じて多種多様な寸法及び形状のものであって良い。
【００２６】
図示の実施形態では、外部組立体１０２の前側部分１１２は、機械式ロック組立体１１６を包囲した前側カバー１１４を含む。機械式キー（図示せず）を機械式ロック組立体１１６内に挿入すると、ロック組立体１００を機械的に解錠することができる。
【００２７】
図示の実施形態では、光通信装置１１８が前側カバー１１４を包囲している。この実施例では、光通信装置１１８は、前側カバー１１４及び機械式ロック組立体１１６を包囲したリングの形状に形成されている。しかしながら、光通信装置１１８は、他の形状に形成されても良く又は外部組立体１０２上の異なるところに位置決めされても良い。
【００２８】
以下に更に説明するように、光通信装置１１８は、メッセージをユーザに視覚的に伝えるよう別個独立に制御できる複数個の領域を含み、かかるメッセージとしては、ロック組立体１００によって現時点において処理されている行為、ロック組立体１００の状態に関する情報、及び／又はユーザ入力の要求が挙げられるが、これらには限定されない。一例を挙げると、光通信装置１１８は、運動方向を示す回転アニメーションを生じさせるようこれを領域を順次照明することによってボルトの運動方向を視覚的に伝えることができる。光通信装置１１８は、領域の種々の属性を制御することにより、例えば、領域のターンオン／ターンオフを行うことにより、領域の強度を変化させることにより、領域により照明される色を変化させることにより、或いは光通信装置１１８の照明を変化させる他の仕方によってメッセージをユーザに視覚的に伝えることができる。
【００２９】
幾つかの実施形態では、ロック組立体１００をタッチ起動することができる。例えば、ロック組立体１００は、ユーザがロック１００を作動させたいと思っているかどうかを判定するために容量性検出を利用することができる。ロック組立体１００を作動させるよう容量性検出が可能なタッチ面は、任意の外面であって良く、かかる外面としては、シリンダ保護カバー、シリンダ保護材、キー溝、ハンドル、ローズ、又はロック組立体１００の他の外面が挙げられるが、これらには限定されない。図示の実施例では、外部組立体１０２は、ユーザがシリンダ保護カバー１０８にタッチしたかどうかを判定するために容量性検出を用いている。したがって、図示の実施形態では、ユーザは、ロック組立体１００を施錠し又は解錠し、或いはロック組立体１００の種々の機能を違ったやり方で起動するためにシリンダ保護カバー１０８上の任意の場所にタッチすることができる。
【００３０】
図示の実施例では、外部ロック組立体１０２は、後側部分１１０から延びるトルクブレード１２０を有する。トルクブレードは、図示の実施形態では、アダプタ１２２を貫通しており、このアダプタは、ロック組立体１００が据え付けられ又は取り付けられているドアに設けられたボア内に受け入れられている。
【００３１】
ラッチ組立体１０４は、ドアに設けられたコア内に設けられ、このラッチ組立体は、機械式ロック組立体１１６によって手動で或いはボルト１２４を伸長させたり引っ込めたりするようシリンダ保護カバー１０８（図示の実施形態では）上のどこかの場所にタッチすることによって電子的に作動可能である。ボルト１２４は、スリーブ１２６に直線的に出入りする。ボルト１２４を引っ込めると、ボルト１２４の端は、底板１２８と実質的に全体として面一をなす。ボルト１２４を伸長させると、ボルト１２４は、ドアに設けられたエッジボアから突き出て受板１３２の開口部１３０内に突き出、この受板１３２は、ドアに隣接して位置する三方枠（ジャム）内に位置決めされている。典型的ではあるが、受板１３２は、締結具１３４を用いて三方枠に取り付けられている。同様に、締結具１３４は、ラッチ組立体１０４の底板１２８をドアに取り付けている。
【００３２】
図示の実施形態では、ラッチ組立体１０４は、ボルト１２４を伸長させるよう第１の方向に駆動可能であり、ボルト１２４を引っ込めるよう第２の方向に駆動可能であるスピンドル１３８を含む。スピンドル１３８は、トルクブレード１２０を受け入れるよう構成されており、第１の方向へのトルクブレード１２０の回転により、ボルト１２４が引っ込められ、他方、その逆の方向へのトルクブレード１２０の回転により、スピンドルがボルト１２４を引っ込めるようになっている。
【００３３】
トルクブレード１２０は、ラッチ組立体１０４を通って延びて取り付け板１４２に設けられた開口部１４０内に延びており、この取り付け板１４２は、ドアの内側に取り付けられている。トルクブレード１２０は、開口部１４０を貫通してスピンドル駆動体１４４によって受け入れられている。スピンドル駆動体１４４は、例えばスピンドル駆動体１４４を第１の方向か第２の方向かのいずれかの方向に回転させるためにモータを用いてボルト１２４の電子制御を可能にしている。トルクブレード１２０がスピンドル１３８内に設けられているので、スピンドル駆動体１４４の回転を用いると、ラッチ組立体１０４のボルト１２４を伸長させたりすると共に／或いは引っ込めたりすることができる。図示の実施形態では、締結具１４６は、取り付け板に設けられた穴１４８を貫通し、これら穴は、ラッチ組立体１０４の開口部１５０と整列している。配線用ハーネス（図示せず）が外部組立体１０２と内部組立体１０６との間でエレクトロニクスを電気的に接続している。
【００３４】
図２は、組立て状態にあるロック組立体１００の側面断面図である。図示の実施例では、トルクブレードは、外部組立体１０２の後側部分１１０からラッチ組立体１０４のスピンドル１３８を通って内部組立体１０６のスピンドル駆動体１４４内に延びた状態で見える。トルクブレード１２０は、ボルト１２４を幾つかの仕方で伸長させたり引っ込めたりするよう駆動可能である。例えば、機械式ロック組立体１１６は、トルクブレード１２０を回転させるよう機械式キーによって作動可能であり、それによりボルト１２４を伸長状態／引っ込み状態に動かすことができる。外部組立体１０２は、シリンダ保護カバー１０８上の任意の場所をタッチすることによってラッチ組立体１０４を電子的に作動させるよう使用できる（ユーザがシリンダ保護カバー１０８にタッチする前にロック組立体１００が認可されたクレデンシャルを受け取っていることを前提とする）。外部組立体１０２上のどこかの場所をタッチしてボルト１２４を作動させることによって、メッセージが配線用ハーネスを用いて外部組立体１０２から内部組立体１０６に送られて内部組立体１０６内のモータを作動させ、このモータは、スピンドル駆動体１４４を用いてトルクブレード１２０を駆動する。加うるに、ユーザがドアの内側に居る場合、ユーザが回し部品１５２を手動で回してトルクブレード１２０を作動させることができ（スピンドル駆動体１４４を介して）、それによりボルト１２４をその伸長位置と引っ込み位置との間で動かすことができる。
【００３５】
図３は、外部組立体１０２の分解組立て図である。図示のように、機械式ロック組立体１１６は、ピンタンブラー錠構造のものであるのが良く、この機械式ロック組立体からトルクブレード１２０が延びている。図示のように、機械式ロック組立体１１６の前側端部は、前側カバー１１４に設けられた開口部１５４によって受け入れられている。好ましくは、前側カバー１１４は、ＲＦ透明材料、例えばプラスチックで作られている。一例を挙げるに過ぎないが、前側カバー１１４は、独国ルードビッヒシャーフェン所在のビーエーエスエフ（ＢＡＳＦ）社製のTerluran GP-22又は台湾国のチ・メイ・コーポレーション（Chi Mei Corporation ）社製のPolylac PA-727と呼ばれる材料で作られるのが良い。
【００３６】
図示の実施形態では、図７〜図１１も又参照すると、外部組立体１０２は、シリンダ保護カバー１０８の後側部分内に受け入れられた絶縁体１５６を含む。絶縁体１５６は、電気的絶縁材料、例えば台湾国のチ・メイ・コーポレーション社製のPolycarbonate PC-110で作られている。この実施例では、絶縁体１５６は、幾つかの内部コンポーネントを収容した凹み部分１５８を有する。図示の実施例では、Ｏリング１６０、光パイプ又はライトパイプ１６２、ＰＣＢボード１６４、及び導電性波形座金１６６が絶縁体１５６とシリンダ保護カバー１０８との間で凹み部分１５８内に収容されている。
【００３７】
図示の実施例では、光通信装置１１８は、光パイプ１６２である。図示のように、図１９〜図２４も又参照すると、光パイプ１６２は、前側端部のところに設けられていて、前側カバー１１４を受け入れるよう寸法決めされた凹み部分１６３を有する。図示の実施形態ではリングの形をしたフランジ１６５が前側カバー１１４を包囲しており、このフランジを選択的に照明することができる。したがって、図示の実施形態では、前側カバー１１４を包囲したフランジ１６５又はリングを作動中にライトアップすることができる。上述したように、例えば、光パイプ１６２は、ユーザにメッセージを視覚的に表示するよう別個独立に制御可能な複数個の領域を有するのが良く、かかるメッセージは、幾つかの実施形態では、アニメーションであるのが良い。幾つかの実施形態では、光パイプ１６２は、半透明又は透明である。一例を挙げるに過ぎないが、光パイプ１６２は、台湾国のチ・メイ・コーポレーション社製のPolycarbonate PC-110と呼ばれる製品で作られるのが良い。図示のように、光パイプ１６２は、シールを受け入れるよう寸法決めされた溝を有し、シールは、この実施例では、Ｏリング１６０である。このＯリングは、水分が外部組立体１０２の前側部分１１２に入るのを阻止する。図示の実施例では、締結具１６８が光パイプ１６２、ＰＣＢボード及び絶縁体１５６を貫通して延びてシリンダハウジング１７２のねじ山付き開口部１７０内に螺合している。
【００３８】
また、図１２〜図１８を参照すると、シリンダハウジング（シリンダ保護材とも呼ばれる）１７２は、外部施錠組立体１０２のための耐衝撃強度及び構造的補強を提供する。例えば、シリンダハウジング１７２は、幾つかの実施形態では、亜鉛合金で作られるのが良い。図示の実施形態では、シリンダハウジング１７２は、絶縁体１５６の後側部分に受け入れられる。図示のように、シリンダハウジング１７２は、アンテナを受け入れるよう構成されたキャビティ１７４を有する。シリンダハウジング１７２にキャビティが設けられているにもかかわらず、シリンダハウジング１７２は、試験を行うと、外部組立体１０２について十分な補強作用を提供している。
【００３９】
クリップ１７６が機械式ロック組立体１１６の後ろの部分を外部組立体１０２内に保持している。リテーナ１７８及びプレート１８０がシリンダハウジング１７２のいたずら防止性及び構造的補強性を高めるためにシリンダハウジング１７２の後側部分に取り付けられている。締結具１８２，１８４がリテーナ１７８及びプレート１８０を締結するためにシリンダハウジング１７２の後側部分に設けられたねじ山付き開口部内に螺入されている。
【００４０】
図４は、外部組立体１０２の前から見た斜視図であり、一部分が内部コンポーネントを露出させるために取り除かれている。この図では、シリンダハウジング１７２内に形成されたキャビティ１７４が見える。これにより、アンテナは、外部組立体１０２（図示のようにシリンダハウジング１７２内に設けられている）の外部に信号を送るよう外部組立体１０２の内部に位置することができる。アンテナが両方ともプラスチックである光パイプ１６２及び前側カバー１１４の後ろで外部組立体１０２の前側部分に取り付けられた状態で、これにより、ワイヤレス信号を外部組立体１０２から送り出すことができる。この図から、光パイプ１６２のフランジ１６５が前側カバー１１４周りに延びることも又理解でき、この構成を用いると、ユーザと通信することができる。
【００４１】
図５は、外部組立体１０２の一部分の側面断面図である。図示のように、シリンダ保護カバー１０８とシリンダハウジング１７２との間には絶縁体１５６によって空隙１８６が形成されている。絶縁体１５６は又、この実施例ではシリンダ保護カバー１０８であるタッチ面をタッチエレクトロニクスのホストとして働くＰＣＢ１６４から分離している。この実施例では、導電性波形座金１６６が電気的接触を行うようＰＣＢ１６４とシリンダ保護カバー１０８との間に圧縮されている。この電気コネクタにより、ＰＣＢ１６４は、ユーザがシリンダ保護カバー１０８上のどこかの場所にタッチした時点を検出することができる。シリンダ保護材１０８は、例示目的で示されているが、タッチ面は、ロックセットの任意の機械的特徴部であって良く、かかる機械的特徴部としては、シリンダ保護カバー、シリンダ保護材、シリンダ、キー溝、ハンドル、ローズ、又はロックセットの他の外部／内部特徴部が挙げられるが、これらには限定されない。導電性波形座金１６６が例示目的で示されているが、導電性媒体は、導電性フォーム、導電性テープ、導電性グリース、又はロックセットのタッチ面をタッチエレクトロニクスのホストとして働くＰＣＢに電気的に接続する任意他の機械式器具であって良い。これは、図２７に概略的に示されている。また、この図から、アンテナを収容するキャビティ１７４が見える。
【００４２】
図６は、外部組立体１０２の後ろから見た斜視図である。この実施例で理解できるように、トルクブレード１２０は、スピンドル１３８及びラッチ組立体１０４を作動させるために外部組立体の後側部分から延びている。この図は又、プレート１８０及びリテーナ１７８がシリンダハウジング１７２の後側部分に取り付けられている状態を示している。
【００４３】
図２８〜図３１は、光パイプ１６２（概略的に示されている）をどのように用いればこれがユーザと通信できるかの一例を示している。図示の実施例では、光パイプは、強度又は色により別個独立に照明でき又は調節できる複数個の領域を有する。これら領域は、外部組立体１０２に関する情報、例えば静止画像（例えば、濃淡なし又は同一領域の点滅）又はアニメーション（例えば、特定の順序による領域の照明）を表示するよう協調された仕方で照明できる。図示の実施例では、光パイプ１６２は、第１の領域１８８、第２の領域１９０、第３の領域１９２、第４の領域１９４、第５の領域１９６、第６の領域１９８、第７の領域２００、及び第８の領域２０２を有している。この実施例では８つの領域が示されているが、これよりも多い又は少ない領域を用いることができる。これら領域は、円で表されているが、これらは、別個独立に駆動可能な光パイプ１６２の領域を指示するよう例示目的で示されているに過ぎない。ユーザが認可高度をロック組立体１００に提供してシリンダ保護カバー１０８をタッチしてロック組立体１００を解錠する一例を考えてみる。光パイプ１６２によって行うことができる１つの例示としての通信内容は、ボルト１２４の運動方向を指示することであるのが良い。ボルト１２４が例えば右側に動いた場合、光パイプ１６２は、時計回りの運動をアニメ化する順序で領域を照明するのが良い。例えば、光パイプは最初に、図２８に示されているように第１及び第２の領域１８８，１９０を指示するのが良い。次の２つの領域１９２，１９４が次に照明され、次に、次の領域１９６，１９８及び最後に領域２００，２０２が照明されて時計回りの方向のアニメーションが示されるのが良い。ボルト１２４が左側に動いた場合、アニメーションは、逆の方向であるのが良い。光パイプ１６２は、多様な情報、例えばロック組立体１００が施錠状態にあるか解錠状態にあるかを伝えるよう使用できる。さらに、幾つかの実施形態では、光パイプ１６２は、追加の情報をユーザから要求し、例えば、ユーザがタッチ面にタッチしてロック組立体１００を施錠するか解錠するかのどちらかを行うよう要求するために使用できる。ユーザが例えばロック組立体１００の或る特定の機能を起動するためにシリンダ保護カバー１０８を何回もタッチすることが必要な場合、光パイプ１６２は、その回数を点滅させることによってタッチ回数を指示することができる。したがって、光パイプ１６２は、ユーザと通信して対話するユーザインターフェースとして働く。
【００４４】
動作原理を説明すると、ユーザは、外部組立体１０２に接近するのが良く、それにより、光パイプ１６２は、ユーザが所定の範囲内に存在することを指示するよう明るくなることができる。ユーザによってロック組立体１００に送られた認可コードが認証され又は認識されると、光パイプ１６２は、例えば緑色又は何らかの種類のアニメーションを点滅させることによってこのことを指示することができる。次に、ユーザは、シリンダ保護カバー１０８上のどこかの場所をタッチしてロック組立体１００を解錠することができる。例えば、これにより、モータがスピンドル駆動体１４４を回転させることができ、それによりトルクブレード１２０を回転させてボルト１２４を引っ込める。ロック組立体１００がボルトを引っ込み位置に作動させているとき、光パイプ１６２は、何らかの種類のアニメーション、例えば時計回りのアニメーションによりこのことを指示することができる。ボルト１２４が完全に引っ込められると、光パイプ１６２は、ボルト１２４が解錠されたことを指示することができる。ボルト１２４の引っ込みの際にエラーがあった場合、光パイプ１６２は、このことを指示するのが良い。
【００４５】
図３２〜図３９は、電力を供給するために電池２１２、例えばボタン電池（コイン形電池）をＰＣＢ板２１４に電気的に接続する電池接点組立体２１０を示している。幾つかの場合、この組立体は、ロック組立体１００と相互連絡するキーフォブ内に位置するのが良い。例えば、ＰＣＢ２１４は、ワイヤレスメッセージ、例えばセキュリティクレデンシャルをロック組立体１００に送信するよう構成されているのが良い。電池接点組立体２１０は、既存のキーフォブよりも薄い低プロフィールキーフォブを提供するよう構成されている。
【００４６】
図示の実施形態では、電池接点組立体２１０は、第１の接点２１６及び第２の接点２１８を含む。例えば、第１の接点２１６は、電池２１２の負極の端子をＰＣＢ２１４に接続するのが良く、第２の接点２１８は、電池２１２の正極の端子を接続するのが良い。第１の接点２１６は、第１の接点をＰＣＢ２１４に取り付けるための取り付け部分２２０を有する。第２の接点２１８は、第２の接点をＰＣＢ２１４に取り付けるための取り付け部分２２２を有する。図示の実施例では、取り付け部分２２０は、ＰＣＢ２１４に設けられた穴２２６を貫通していて、第１の接点２１６をＰＣＢ２１４にはんだ付けしてＰＣＢ２１４と第１の接点２１６との間に電気的接続状態を作るための脚部２２０を有する。図示の実施例では、取り付け部分２２０は、ＰＣＢ２１４の片面（図３４及び図３５に示されているように表面か裏面かのいずれか）に取り付けられている。突出部２２８がＰＣＢ２１４から延びており、この突出部は、第２の接点２１８の上方に浮いた状態で設けられている。図示の実施例では、突出部２２８は、ＰＣＢの長手方向軸線に沿って延びる真っ直ぐな部分２３０及び傾斜した部分２３２を有する。突出部２２８は、ホルダ２３６によって包囲されたばね２３４を有する。ばね２３４は、電池の第１の側を押して第２の接点２１８との摩擦嵌めを生じさせる。
【００４７】
図示の実施例では、第２の接点２１８の取り付け部分２２２は、ＰＣＢ２１４に設けられた穴２４０を貫通していて、第２の接点２１８をＰＣＢ２１４にはんだ付けしてＰＣＢ２１４と第２の接点２１８との間に電気接続部を作るための脚部２３８を有する。図示の実施例では、取り付け部分２２０は、ＰＣＢ２１４を跨ぐよう面部分２４２及び縁部分２４４を有する（図３３〜図３５を参照されたい）。図示のように、縁部分２４４は、面部分２４２から横方向に延びる頂端部を有し、突出部２４６を備えた底端部は、ＰＣＢ２１４から延びて第１の接点２１６よりも電池２１２の反対側に位置決めされている。第１の接点２１６の場合と同様、第２の接点２１８は、ＰＣＢ２１４の表面か裏面かのいずれかに取り付けられるのが良い。図示の実施例では、突出部２４６は、ＰＣＢの長手方向軸線に沿って延びる真っ直ぐな部分２４８及び傾斜部分２５０を有する。突出部２４６は、ホルダ２５４によって包囲されたばね２５２を有するばね２５２は、電池の第２の側を押して第１の接点２１６との摩擦嵌め状態を生じさせる。使用にあたり、ユーザは、電池２１２を第１の接点２１６と第２の接点２１８との間で滑らせるのが良い。電池２１２の互いに反対側の面に対するばね２３４，２５２の押圧により、電池２１２を定位置に保持する摩擦嵌め状態が作られる。第１の接点２１６及び第２の接点２１８は、ＰＣＢ２１４との電気的接続部を有しているので、電池２１２は、電力をＰＣＢ２１４に供給する。ユーザが電池２１２を取り出したいと思った場合、ばね２３４，２５２の摩擦力に打ち勝つのに十分な力で電池２１２を引き出すのが良い。
【００４８】
本発明を特定の手段、材料、及び実施形態を参照して説明したが、上記説明から当業者であれば、本発明の本質的な特徴並びに種々の変更及び改造を実施して本発明の精神及び範囲から逸脱することなく、種々の使用及び特性を適合させることができるということを容易に確かめることができる。
〔１〕
ロックセットであって、
伸長位置と引っ込み位置との間で動くことができるボルトを含むラッチ組立体を有し、 前記伸長位置と前記引っ込み位置との間における前記ボルトの運動を電子的に制御するよう構成された制御器を有し、
前記ボルトを前記伸長位置と前記引っ込み位置との間で手動で作動させる回し部品を含む内部組立体を有し、
前記ボルトを前記伸長位置と前記引っ込み位置との間で手動で作動させるよう構成された機械式ロック組立体を含む外部組立体を有し、前記外部組立体は、前記制御器と電気的連絡状態にある複数個の別個独立に制御可能な領域を備えた光通信装置を含み、
前記制御器は、前記ロックセットの状態を識別するよう前記領域のうちの多数を既定の形態で作動させるよう構成されている、ロックセット。
〔２〕
前記制御器は、（ａ）前記光通信装置の多数の領域の照明、（ｂ）前記光通信装置の多数の領域の強度、又は（ｃ）前記光通信装置の多数の領域の色のうちの１つ又は２つ以上を調節することによって前記既定の形態を作動させるよう構成されている、〔１〕記載のロックセット。
〔３〕
前記制御器は、前記光通信装置の隣り合う領域を（ａ）照明、（ｂ）強度、又は（ｃ）色のうちの１つ又は２つ以上で順次調節することによって前記既定の形態を作動させるよう構成されている、〔１〕記載のロックセット。
〔４〕
前記光通信装置は、少なくとも３つの領域を有し、前記制御器は、前記少なくとも３つの領域を（ａ）照明、（ｂ）強度、又は（ｃ）色のうちの１つ又は２つ以上で順次調節するよう構成されている、〔１〕記載のロックセット。
〔５〕
前記制御器は、前記ロックセットの第１の状態を識別するよう隣り合う領域を第１の順序で順次調節するよう構成されている、〔４〕記載のロックセット。
〔６〕
前記制御器は、前記ロックセットの第２の状態を識別するよう隣り合う領域を第２の順序で順次調節するよう構成され、前記第２の順序は、前記第１の順序とは逆である、〔５〕記載のロックセット。
〔７〕
前記第１の順序は、前記ボルトの第１の運動方向を表している、〔６〕記載のロックセット。
〔８〕
前記第２の順序は、前記ボルトの第２の運動方向を表している、〔７〕記載のロックセット。
〔９〕
前記第１の方向は、前記伸長位置から前記引っ込み位置へのボルト運動方向を表している、〔８〕記載のロックセット。
〔１０〕
前記第２の方向は、前記引っ込み位置から前記伸長位置へのボルト運動方向を表している、〔９〕記載のロックセット。
〔１１〕
前記光通信装置の前記領域の少なくとも一部分は、リング状の形に配置されている、〔１〕記載のロックセット。
〔１２〕
前記制御器は、（ａ）前記光通信装置の多数の領域の照明、（ｂ）前記光通信装置の多数の領域の強度、又は（ｃ）前記光通信装置の多数の領域の色のうちの１つ又は２つ以上を調節することによって前記既定の形態を作動させるよう構成されている、〔１１〕記載のロックセット。
〔１３〕
前記制御器は、第１の方向における前記ボルトの運動を指示するよう隣り合う領域を全体として時計回りのやり方で順次調節するよう構成されている、〔１２〕記載のロックセット。
〔１４〕
前記制御器は、前記第１の方向とは逆の第２の方向における前記ボルトの運動を指示するよう隣り合う領域を全体として反時計回りのやり方で順次調節するよう構成されている、〔１３〕記載のロックセット。
〔１５〕
前記外部組立体は、全体として切頭円錐形のシリンダ保護カバーを含み、前記光通信装置は、前記シリンダ保護カバーの切頭体と全体として同心である、〔１２〕記載のロックセット。
〔１６〕
前記既定の形態は、前記制御器により現時点において処理されている行為を表している、〔１〕記載のロックセット。
〔１７〕
前記既定の形態は、前記制御器によって入力されるユーザの要求を表している、〔１〕記載のロックセット。
〔１８〕
前記既定の形態は、前記ロックセットの状態を表している、〔１〕記載のロックセット。
〔１９〕
前記外部組立体は、前記制御器に電気的に結合されたシリンダ保護カバーを含み、前記シリンダ保護カバーは、前記制御器への容量性タッチ面入力として働くようになっている、〔１〕記載のロックセット。
〔２０〕
前記外部組立体の内部キャビティ内に設けられていて、前記制御器に電気的に結合されたアンテナを更に有する、〔１〕記載のロックセット。
〔２１〕
ロックセットであって、
施錠位置と解錠位置との間で動くことができるラッチ組立体と、
前記施錠位置と前記解錠位置との間における前記ラッチ組立体の運動を電子的に制御するよう構成された制御器と、
前記制御器と電気的連絡状態にある複数個の別個独立に制御可能な領域を備えた光通信装置とを有し、
前記制御器は、（１）前記制御器によって現時点において処理されている行為、又は（２）前記制御器によって入力されたユーザの要求のうちの１つ又は２つ以上に応答して前記領域の照明、強度又は色のうちの１つ又は２つ以上を調節することによって前記領域のうちの少なくとも一部分を既定の形態で作動させるよう構成されている、ロックセット。
〔２２〕
前記制御器は、照明、強度又は色のうちの１つ又は２つ以上に関して隣り合う領域を順次調節することによって前記既定の形態を作動させるよう構成されている、〔２１〕記載のロックセット。
〔２３〕
前記制御器は、前記施錠位置から前記解錠位置への前記ラッチ組立体の運動を指示するよう前記領域を第１の順序で作動させるよう構成されている、〔２２〕記載のロックセット。
〔２４〕
前記制御器は、前記解錠位置から前記施錠位置への前記ラッチ組立体の運動を指示するよう前記領域を第２の順序で作動させるよう構成されている、〔２３〕記載のロックセット。
〔２５〕
前記制御器は、前記領域のうちの少なくとも一部分を既定の回数点滅させることによって前記既定の形態を作動させるよう構成されている、〔２１〕記載のロックセット。
〔２６〕
前記制御器は、前記領域のうちの少なくとも一部分を第１の強度から第２の強度に変化させることによって前記既定の形態を作動させるよう構成されている、〔２１〕記載のロックセット。
〔２７〕
前記制御器は、前記領域のうちの少なくとも一部分を第１の色から第２の色に変化させることによって前記既定の形態を作動させるよう構成されている、〔２１〕記載のロックセット。
〔２８〕
前記領域のうちの少なくとも一部分は、リング状の形に配置されている、〔２１〕記載のロックセット。
〔２９〕
前記制御器は、第１の方向における前記ラッチ組立体の運動を指示するよう前記領域を時計回りのやり方で順次調節することによって前記既定の形態を作動させるよう構成されている、〔２８〕記載のロックセット。
〔３０〕
前記制御器は、第２の方向における前記ラッチ組立体の運動を指示するよう前記領域を反時計回りのやり方で順次調節することによって前記既定の形態を作動させるよう構成されている、〔２９〕記載のロックセット。
〔３１〕
ロックセットであって、
伸長位置と引っ込み位置との間で動くことができるボルトを含むラッチ組立体を有し、 前記伸長位置と前記引っ込み位置との間における前記ボルトの運動を電子的に制御するよう構成された制御器を有し、
前記ボルトを前記伸長位置と前記引っ込み位置との間で手動で作動させる回し部品を含む内部組立体を有し、
前記ボルトを前記伸長位置と前記引っ込み位置との間で手動で作動させるよう構成された機械式ロック組立体を含む外部組立体を有し、前記外部組立体は、タッチ面を含み、
前記制御器は、前記タッチ面の容量性タッチ検出に応答して前記伸長位置と前記引っ込み位置との間における前記ボルトの運動を作動させるよう構成されている、ロックセット。
〔３２〕
前記外部組立体は、前記機械式ロック組立体から延びるシリンダ保護カバーを含み、前記タッチ面は、前記シリンダ保護カバーの外面を含む、〔３１〕記載のロックセット。
〔３３〕
前記タッチ面は、前記シリンダ保護カバーの実質的に外面全体を含む、〔３２〕記載のロックセット。
〔３４〕
前記シリンダ保護カバーは、全体として切頭円錐系の形をしている、〔３３〕記載のロックセット。
〔３５〕
前記タッチ面は、前記シリンダ保護カバーの実質的に側壁全体を含む、〔３４〕記載のロックセット。
〔３６〕
前記外部組立体は、外面を備えたハンドルを含み、前記タッチ面は、前記ハンドルの前記外面の少なくとも一部分を含む、〔３１〕記載のロックセット。
〔３７〕
前記外部組立体は、外面を備えたローズ（rose）を含み、前記タッチ面は、前記ローズの前記外面の少なくとも一部分を含む、〔３１〕記載のロックセット。
〔３８〕
前記機械式ロック組立体は、外面を含み、前記タッチ面は、前記機械式ロック組立体の前記外面の少なくとも一部分を含む、〔３１〕記載のロックセット。
〔３９〕
ロックセットであって、
施錠位置と解錠位置との間で動くことができる施錠装置を有し、前記施錠装置は、シリンダ保護カバー、ハンドル、又はローズのうちの１つ又は２つ以上を含み、
前記ロックセットの一部として形成されたタッチ面を有し、
前記タッチ面のタッチングを識別するよう構成された電気回路を有し、
前記タッチ面は、前記施錠装置の前記シリンダ保護カバー、前記ハンドル、又は前記ローズのうちの１つ又は２つ以上の外面を含む、ロックセット。
〔４０〕
前記タッチ面と前記電気回路を互いに分離する絶縁体を更に有する、〔３９〕記載のロックセット。
〔４１〕
前記タッチ面と前記電気回路を電気的に接続する導電性媒体を更に有する、〔３９〕記載のロックセット。
〔４２〕
前記導電性媒体は、導電性波形座金、導電性フォーム、導電性テープ又は導電性グリースのうちの１つ又は２つ以上を含む、〔４１〕記載のロックセット。
〔４３〕
ロックセットであって、
伸長位置と引っ込み位置との間で動くことができるボルトを含むラッチ組立体を有し、 前記伸長位置と前記引っ込み位置との間における前記ボルトの運動を電子的に制御するよう構成された制御器を有し、
前記ボルトを前記伸長位置と前記引っ込み位置との間で手動で作動させる回し部品を含む内部組立体を有し、
前記ボルトを前記伸長位置と前記引っ込み位置との間で手動で作動させるよう構成されたシリンダを備えた機械式ロック組立体を含む外部組立体を有し、前記外部組立体は、前記シリンダを包囲していて、前記シリンダを構造的に保護するよう構成されたシリンダ保護材を含み、前記シリンダ保護材は、内部キャビティを備え、
前記制御器と電気的連絡状態にあるアンテナを有し、
前記アンテナは、前記シリンダ保護材の前記内部キャビティ内に少なくとも部分的に設けられている、ロックセット。
〔４４〕
前記アンテナは、全体が前記内部キャビティ内に設けられている、〔４３〕記載のロックセット。
〔４５〕
前記シリンダ保護材は、前側の側部及び後側の側部を有し、前記キャビティは、前記シリンダ保護材の前記前側側部上に位置した開口端を有する、〔４４〕記載のロックセット。
〔４６〕
前記外部組立体は、前記内部キャビティの前記開口端から延びていて、前記シリンダの前側フェース全体として同一平面内に位置する前側カバーを含む、〔４５〕記載のロックセット。
〔４７〕
前記前側カバーは、全体としてＲＦ透明材料で作られている、〔４６〕記載のロックセット。
〔４８〕
前記キャビティの前記開口端と前記前側カバーとの間に延びる光通信装置を更に有する、〔４７〕記載のロックセット。
〔４９〕
前記光通信装置は、全体としてＲＦ透明材料で作られている、〔４８〕記載のロックセット。
〔５０〕
前記シリンダ保護材の前記後側側部に取り付けられていて、前記シリンダ保護材の構造的補強度を増大させるよう構成されているリテーナを更に有する、〔４５〕記載のロックセット。
〔５１〕
ロックセットであって、
施錠位置と解錠位置との間で動くことができるラッチ組立体を有し、
前記施錠位置と前記解錠位置との間における前記ラッチ組立体の運動を電子的に制御するよう構成された制御器を有し、
前記ラッチ組立体を前記施錠位置と前記解錠位置との間で手動で作動させる回し部品を含む内部組立体を有し、
前記ラッチ組立体を前記施錠位置と前記解錠位置との間で手動で作動させるよう構成された機械式ロック組立体を含む外部組立体を有し、前記外部組立体は、前記制御器と電気的連絡状態にある複数個の別個独立に制御可能な領域を備えた光通信装置を含み、前記外部組立体は、タッチ面を含み、
前記制御器は、前記タッチ面の容量性タッチ検出に応答してユーザ要求を処理するよう構成され、
前記制御器は、（１）前記制御器によって現時点において処理されている行為、又は（２）前記制御器によって入力されたユーザの要求のうちの１つ又は２つ以上に応答して前記領域の照明、強度又は色のうちの１つ又は２つ以上を調節することによって前記領域のうちの少なくとも一部分を既定の形態で作動させるよう構成されている、ロックセット。
〔５２〕
前記制御器は、照明、強度又は色のうちの１つ又は２つ以上に関して隣り合う領域を順次調節することによって前記既定の形態を作動させるよう構成されている、〔５１〕記載のロックセット。
〔５３〕
前記制御器は、前記施錠位置から前記解錠位置への前記ラッチ組立体の運動を指示するよう前記領域を第１の順序で作動させるよう構成されている、〔５２〕記載のロックセット。
〔５４〕
前記制御器は、前記解錠位置から前記施錠位置への前記ラッチ組立体の運動を指示するよう前記領域を第２の順序で作動させるよう構成されている、〔５３〕記載のロックセット。
〔５５〕
前記制御器は、前記領域のうちの少なくとも一部分を既定の回数点滅させることによって前記既定の形態を作動させるよう構成されている、〔５１〕記載のロックセット。
〔５６〕
前記制御器は、前記領域のうちの少なくとも一部分を第１の強度から第２の強度に変化させることによって前記既定の形態を作動させるよう構成されている、〔５１〕記載のロックセット。
〔５７〕
前記領域のうちの少なくとも一部分を第１の色から第２の色に変化させることによって前記既定の形態を作動させるよう構成されている、〔５１〕記載のロックセット。
〔５８〕
前記領域のうちの少なくとも一部分は、リング状の形に配置されている、〔５１〕記載のロックセット。
〔５９〕
前記制御器は、第１の方向における前記ラッチ組立体の運動を指示するよう前記領域を時計回りのやり方で順次調節することによって前記既定の形態を作動させるよう構成されている、〔５８〕記載のロックセット。
〔６０〕
前記制御器は、第２の方向における前記ラッチ組立体の運動を指示するよう前記領域を反時計回りのやり方で順次調節することによって前記既定の形態を作動させるよう構成されている、〔５９〕記載のロックセット。
〔６１〕
前記外部組立体は、前記機械式ロック組立体から延びるシリンダ保護カバーを含み、前記タッチ面は、前記シリンダ保護カバーの外面を含む、〔５１〕記載のロックセット。
〔６２〕
前記タッチ面は、前記シリンダ保護カバーの実質的に外面全体を含む、〔６１〕記載のロックセット。
〔６３〕
前記シリンダ保護カバーは、全体として切頭円錐系の形をしている、〔６２〕記載のロックセット。
〔６４〕
前記タッチ面は、前記シリンダ保護カバーの実質的に側壁全体を含む、〔６３〕記載のロックセット。
〔６５〕
前記光通信装置は、前記シリンダ保護カバーの前記切頭体上に設けられた全体として円形の形を備えた複数個の領域を含む、〔６３〕記載のロックセット。
〔６６〕
前記外部組立体は、外面を備えたハンドルを含み、前記タッチ面は、前記ハンドルの前記外面の少なくとも一部分を含む、〔５１〕記載のロックセット。
〔６７〕
前記外部組立体は、外面を備えたローズ（rose）を含み、前記タッチ面は、前記ローズの前記外面の少なくとも一部分を含む、〔５１〕記載のロックセット。
〔６８〕
前記機械式ロック組立体は、外面を含み、前記タッチ面は、前記機械式ロック組立体の前記外面の少なくとも一部分を含む、〔５１〕記載のロックセット。
【図１】
0006001208.tif 000002
【図２】
0006001208.tif 000003
【図３】
0006001208.tif 000004
【図４】
0006001208.tif 000005
【図５】
0006001208.tif 000006
【図６】
0006001208.tif 000007
【図７】
0006001208.tif 000008
【図８】
0006001208.tif 000009
【図９】
0006001208.tif 000010
【図１０】
0006001208.tif 000011
【図１１】
0006001208.tif 000012
【図１２】
0006001208.tif 000013
【図１３】
0006001208.tif 000014
【図１４】
0006001208.tif 000015
【図１５】
0006001208.tif 000016
【図１６】
0006001208.tif 000017
【図１７】
0006001208.tif 000018
【図１８】
0006001208.tif 000019
【図１９】
0006001208.tif 000020
【図２０】
0006001208.tif 000021
【図２１】
0006001208.tif 000022
【図２２】
0006001208.tif 000023
【図２３】
0006001208.tif 000024
【図２４】
0006001208.tif 000025
【図２５】
0006001208.tif 000026
【図２６】
0006001208.tif 000027
【図２７】
0006001208.tif 000028
【図２８】
0006001208.tif 000029
【図２９】
0006001208.tif 000030
【図３０】
0006001208.tif 000031
【図３１】
0006001208.tif 000032
【図３２】
0006001208.tif 000033
【図３３】
0006001208.tif 000034
【図３４】
0006001208.tif 000035
【図３５】
0006001208.tif 000036
【図３６】
0006001208.tif 000037
【図３７】
0006001208.tif 000038
【図３８】
0006001208.tif 000039
【図３９】
0006001208.tif 000040